(57)【要約】【課題】本考案は、どのような形状の患部にでも付けることができ、かつ使い勝手に優れ、しかも安全性が高く、さらに優れた機能を備えた温灸具を提供する。【解決手段】略中央部に貫通孔部１０を有する台座部２０と、前記貫通孔部１０を覆うように前記台座部２０上に配置されたセラミック板３０と、前記台座部２０とヒンジ４０を介して繋がれた該台座部２０を覆う蓋部５０とから構成されてなり、前記台座部２０の患部と接する底部６０には、粘着層７０が設けられている温灸具。【選択図】図１
0003194089.tif 000002
【実用新案登録請求の範囲】
【請求項１】
略中央部に貫通孔部を有する台座部と、
前記貫通孔部を覆うように前記台座部上に配置されたセラミック板と、
前記台座部とヒンジを介して繋がれた該台座部を覆う蓋部とから構成されてなり、
前記台座部の患部と接する底部には、粘着層が設けられてなることを特徴とする温灸具。
【請求項２】
前記セラミック板の略中央部には、モグサを載せるための凹部が設けられていることを特徴とする請求項１記載の温灸具。
【請求項３】
前記セラミック板凹部の略中央部には貫通小孔部が設けられていることを特徴とする請求項２記載の温灸具。
【請求項４】
前記蓋部には、複数の空気孔が設けてあることを特徴とする請求項１〜請求項３記載の温灸具。
【考案の詳細な説明】
【技術分野】
【０００１】  本考案は、温灸具に関し、特に使い勝手に優れ、しかも安全性と機能に優れた温灸具に関するものである。
【背景技術】
【０００２】  従来、温灸の材料として使用されていたモグサの問題点としては、例えば、火力を調整できないことやモグサに火を付けて患部に置いた場合に、患部から外れてしまい衣服を焦がしてしまったり、火傷をしたりする危険性がたかかった。【０００３】  このような問題を解決するために、例えば、特許文献１には、断熱性と耐熱性とに優れた特殊材料からなり、上部が開口された厚肉の筒形状に形成された筒体と、該筒体に連設して筒体の下部を閉塞する厚肉の板状に形成された有底部とから構成されている温灸用容器が提案されている。当該容器は、容器内部にモグサをいれて温灸をするものであるため、衣服を焦がしたり、或いは火傷をする危険性は低減されている。
【先行技術文献】
【特許文献】
【０００４】
【特許文献１】特開２００４−１８１１７７号公報
【考案の概要】
【考案が解決しようとする課題】
【０００５】  上記温灸用容器では、上述したように衣服を焦がしたり、或いは火傷をする危険性は低減されている。しかし、容器自体を患部に置いて温灸をするため、体が動いたりした際には当該容器が倒れる危険性がある。また、温灸をする箇所についても常に平坦な部分とは限らず、そのような箇所で温灸をする場合、ずっと持っておかねがならないという問題があった。
本考案者は、上記のような問題に鑑み鋭意検討を重ねた結果、どのような形状の患部にでも付けることができ、かつ使い勝手に優れ、しかも安全性が高く、さらに優れた機能を備えた温灸具を提供することを目的にする。
【課題を解決するための手段】
【０００６】  上記のような目的を達成するための本考案の手段は、略中央部に貫通孔部を有する台座部と、前記貫通孔部を覆うように前記台座部上に配置されたセラミック板と、前記台座部とヒンジを介して繋がれた該台座部を覆う蓋部とから構成されてなり、前記台座部の患部と接する底部には、粘着層が設けられている温灸具を提供する。
当該温灸具は、患部と接する底部に粘着層が形成されているため、どのような形状の患部にでも付けることができる。また、蓋部を有することから、衣服を焦がしたり、他のか体の箇所を火傷する危険性が低減される。【０００７】  また、本考案の温灸具１においては、セラミック板の略中央部にモグサを載せるための凹部が設けられていることが好ましい。
セラミック板の略中央部に凹部を設けることで、モグサを安定して載せることができる。また、モグサの燃えかすが散らばることを防止できる。【０００８】  また、本考案の温灸具においては、セラミック板凹部の略中央部には貫通小孔部が設けられていることが好ましい。
セラミック板の凹部の略中央部には貫通小孔部を設けることで、モグサの燃焼に伴い発生する香気成分が患部に直接届くことにより温灸の効果を高めることになる。【０００９】  更に、本考案の温灸具においては、蓋部に複数の空気孔が設けてあることが好ましい。
蓋部に複数の空気孔を設けることでモグサの燃焼のための空気を取り入れることができると共にモグサの燃焼時の煙を逃がすことができる。
【考案の効果】
【００１０】  本考案による温灸具は、患部に接する底部に粘着層が形成されているため、どのような形状の患部にでも付けることができる。また、蓋部を有することから、衣服を焦がしたり、他のか体の箇所を火傷する危険性が低減される。
また、本考案による温灸具は、蓋部に空気孔が設けられているため、モグサの燃焼及び排煙が助けられて、温灸の途中でモグサの火が消えるが防止できる。
更に、本考案による温灸具は、セラミック板凹部の略中央部には貫通小孔部が設けられていることで、モグサの燃焼に伴い発生する香気成分が患部に直接届くことにより温灸の効果を高めることになる。尚、貫通小孔部は、直径が３〜５ｍｍ位の小さなものであるため、その孔から燃えているモグサが落ちることはない。
【図面の簡単な説明】
【００１１】
【図１】本考案に基づく温灸具の概略断面図である。
【考案を実施するための形態】
【００１２】  次に本考案の温灸具１について、図面を用いて説明する。
図１は、本考案の温灸具の実施形態を示している。
本考案に係る温灸具１は、略中央部に貫通孔部１０を有する台座部２０と、前記貫通孔部１０を覆うように前記台座部２０上に配置されたセラミック板３０と、前記台座部２０とヒンジ４０を介して繋がれた該台座部２０を覆う蓋部５０とから構成されており、前記台座部２０の患部Ａと接する底部６０には、粘着層７０が設けられている。
【００１３】  台座部２０には、略中央部に貫通孔部１０が設けられている。
台座部２０の貫通孔部１０は、患部の「ツボ」と呼ばれる箇所のほぼ上に置かれるため、「ツボ」と呼ばれる箇所を覆える大きさであればよく、例えば、該貫通孔部１０が円形の場合、直径として１５ｍｍ〜２０ｍｍが好ましい。尚、貫通孔部１０の大きさは適宜調整できるものである。
【００１４】  また、該台座部２０も適宜の大きさに調整できるものである。例えば、該台座部が円形である場合、直径として３０ｍｍ〜３５ｍｍが好ましい。該大きさであれば、取り扱いが容易となる。また、当該台座部の高さとしても、取り扱い易い点等を考慮して、例えば３ｍｍ〜５ｍｍが好ましい。
当該台座部２０の形状としても、各種形状のものを選択することができるが、取り扱い性、蓋をする点等を考慮すると円柱状が好ましい。
また、本実施形態においては、円柱状の台座部を用いたが、該円柱の周縁部に側壁を設けてもよい。側壁の高さは適宜調整できるものであり、例えば、５ｍｍ〜１０ｍｍとすることもできる。側壁を設けることでモグサの燃えかすが散らばることを防ぐことができる。
【００１５】  台座部２０を構成する材質としては、種々のものを選択することができるが、例えば、セラミック材料（陶磁器性を含む）、耐熱性を有するプラスチック材料等を適宜用いることができる。
火の付いたモグサを使用するための耐熱性、製造時の成形性等を考慮すれば、セラミック材料（陶磁器性を含む）を用いることが好ましい。また、セラミック材料（陶磁器性を含む）を用いることで温熱の持続時間が長くなる効果も生じる。
【００１６】  前記台座部２０の上には、前記貫通孔部１０を覆うようにセラミック板３０が配置されている。当該セラミック板３０の上にはモグサが置かれて、当該モグサに火を付けて温灸がなされる。
セラミック板とすることで火のついたモグサを置いても患部に対して急激な温度上昇が抑えられ、じわっとした温灸効果を得ることができる。また、セラミック板とすることで該セラミック板が暖められることで遠赤外線効果を発揮し、更なる温灸効果を得ることもできる。
【００１７】  前記セラミック板３０の略中央部分にはモグサが載せられるが、その下は丁度、貫通孔部１０に当たるため、セラミック板３０を通して伝わる熱が患部付近では、温灸に適した温度になっている。また、セラミック板３０を通して前記台座部２０にも熱が伝わり、その熱が患部にも伝わり、温灸効果を発揮する。
【００１８】  セラミック板３０の大きさは、前記貫通孔部１０を塞ぐことができればよく、例えば、前記貫通孔部１０が円形の場合、セラミック板３０の直径としては、貫通孔部１０の直径よりも１０〜２０％位大きい方が好ましい。
また、セラミック板３０の厚みとしても、種々のものを選択することができるが、患部に対する温灸効果、遠赤外線効果等を考慮すると３ｍｍ〜５ｍｍとすることが好ましい。
【００１９】  セラミック板３０の材料としては、各種の粘土等を焼き固めたものを用いることができるし、粘土を焼き固めた物の表面にセラミックの粉末を吹き付けたものを用いることもできる。このようにセラミック材料を用いることで遠赤外線効果により、より温灸効果を得ることができる。
尚、台座部２０とセラミック板３０とは、接合されていることが好ましい。台座部２０とセラミック板３０とは、適宜の接着剤等を用いて接合することができる。
【００２０】  また、セラミック板３０の略中央部には、モグサを載せるための凹部８０が設けられていることが好ましい。このように凹部８０を設けることで、モグサを載せたときに安定性が向上する。凹部８０の凹みの大きさは、モグサを載せることを考慮して適宜の凹みとすることができる。
【００２１】  更に、セラミック板３０の凹部８０の略中央部には貫通小孔部９０が設けられていることが好ましい。
前記貫通小孔部９０の大きさとしては、あまり大きな孔としたのでは、モグサの燃焼により燃えているモグサが患部に落ちてしまい火傷をする危険があるが、例えば、貫通小孔部９０の直径を３ｍｍ〜５ｍｍとすることで、モグサが燃焼した際の香気成分だけが通過し、モグザの燃えかす等は通過することはない。
このように貫通小孔部９０を設けることで、モグサが燃焼する際に発生する香気成分（例えば、テルペン、シネオール、ツヨン、コリン等の香気精油が当該貫通小孔９０を通って患部に当たり血行促進効果等を奏するものと考えられる。
【００２２】  即ち、本考案の温灸具１においては、モグサが燃焼することにより発生する熱による温灸効果および遠赤外線効果を奏するし、また、モグサが燃焼することにより発生する香気成分による血行促進効果等を奏するものである。従来の温灸具であれば、このような複数の作用効果を奏することはなかったが、本考案の温灸具によれば、複数の作用効果を発揮できるものである。
【００２３】  台座部２０には、ヒンジ４０を介して繋がれた該台座部２０を覆う蓋部５０が設けられている。例えば、温灸時には蓋部５０を閉めておくと、もし、倒れた場合でも中の火のついているモグサがこぼれ落ちることが無く火傷等を防止できる。また、温灸が終わったあとでは燃え残りを蓋内部に閉じ込めることができ、燃えかすが外に出て衣服等を汚す恐れがなくなる。
また、蓋部５０と台座部２０とを固定しておくための固定手段を設けておくことが好ましい。当該固定手段は蓋部５０の開閉を容易にできるものであれば適宜の手段のものを選択して使用することができる。
【００２４】  蓋部５０は台座部２０を覆える大きさであればよく、例えば、円柱形状でもよく、またドーム形状でもよい。蓋部５０の形状は適宜選択することができる。また、大きさも持ちやすさ等を考慮した大きさとすることができる。
また、当該蓋部５０の周縁部には、モグサの燃焼のための空気孔１００が複数設けられていることが好ましい。
【００２５】  本考案に係る温灸具１は、万が一転倒等しても内部にあるモグサが外に出ないように蓋部５０を設けて密閉した構造としたため、モグサを燃焼させるための空気孔１００が必要である。当該空気孔１００は蓋部５０を貫通している。蓋部５０に設ける空気孔１００は適宜な大きさとすることができる。内部のモグサがこぼれたりすることがない程度の大きさとすることができる。
空気孔１００の形状としても適宜の形状を選択することができ、例えば円形、矩形等である。
また、蓋部５０の周縁部にあける空気孔１００の個数も適宜調整できるものであり、モグサの燃焼が続くのでああれば、例えば、２〜５個が好ましい。
尚、当該空気孔１００は、モグサを燃焼させるための空気導入口になるのはもちろんのこと、モグサが燃焼した際に発生する煙の排煙口にもなる。
【００２６】  蓋部５０を構成する材質としても種々のものを選択することができるが、例えば、セラミック材料、耐熱性を有するプラスチック材料等を適宜用いることができる。
火の付いたモグサを使用するための耐熱性、製造時の成形性等を考慮すれば、プラスチック材料を用いることが好ましい。
【００２７】  患部に接する底部６０には、粘着層７０が形成されている。粘着層７０を設けることで患部にしっかりと固定することができる。温灸の途中で万が一動いても粘着層７０のおかげで温灸具が脱落することがない。また、「ツボ」と呼ばれる患部は体中にあり、長く同じ姿勢を保つに困難な箇所であっても粘着層７０のおかげで脱落が防止できる。
当該粘着層７０に用いることができる粘着剤としては、種々のものを適宜選択して用いることができる。当該粘着層７０は、温灸の熱が伝わる箇所であるため、ある程度熱に強い粘着剤を用いることが好ましい。
粘着層７０としては、例えば、使用するたびに取り替えることができるようなシール状のもの、例えば、両面テープのようなものでもよい。何度も使用すると粘着力が低下するため取り替えがきく方が好ましい。
【産業上の利用可能性】
【００２８】  本考案による温灸具は、患部に接する底部に粘着層が形成されているため、どのような形状の患部にでも付けることができる。また、蓋部を有することから、衣服を焦がしたり、他のか体の箇所を火傷する危険性が低減される。
また、本考案による温灸具は、蓋部に空気孔が設けられているため、モグサの燃焼及び排煙が助けられて、温灸の途中でモグサの火が消えるが防止できる。
更に、本考案による温灸具は、セラミック板凹部の略中央部には貫通小孔部が設けられていることで、モグサの燃焼に伴い発生する香気成分が患部に直接届くことにより温灸の効果を高めることになる。
【符号の説明】
【００２９】１  温灸具
１０  貫通孔部
２０  台座部
３０  セラミック板
４０  ヒンジ
５０  蓋部
６０  底部
７０  粘着層
８０  凹部
９０  貫通小孔部
１００  空気孔
【図１】
0003194089.tif 000003